(57)【要約】【課題】軸受装置にＩＣタグを装着する際に、ＩＣタグ本体やアンテナが振動や外力を受け難い状態とし、特に軸受装置に予圧をかけて装着した場合にも、ＩＣタグ本体に歪みが発生せず、さらに潤滑油に接する環境で使用され、また予圧を維持する必要のある場合でも長期安定した情報発信および受信機能を確実に発揮されるＩＣタグ付き軸受装置とすることである。【解決手段】外輪１と内輪２の間に保持器３で回転自在に保持された円錐ころからなる転動体４を介在させた円錐ころ軸受５の内輪２および外輪１の外側端面の金属面には、それぞれ穴６、７を形成し、この穴６、７内に非接触交信型のＩＣタグ８をゴム状弾性材からなる緩衝体９を介して装着する。外輪１や内輪２が予圧付与面などであって表面に外力が加えられても、また振動や衝撃を受けた場合にも、そのような外力による歪や衝撃や振動はゴム状弾性材からなる緩衝体９に吸収される。【選択図】図１
2012197855.tif 000002
【特許請求の範囲】
【請求項１】
転がり軸受の外輪もしくは内輪または両輪の表面に形成した穴内に、非接触交信型のＩＣタグをゴム状弾性材からなる緩衝体を介して保持してなるＩＣタグ付き転がり軸受。
【請求項２】
上記穴の開口部側に、ＩＣタグを覆うようにゴム状弾性材からなる緩衝体を設けた請求項１に記載のＩＣタグ付き転がり軸受。
【請求項３】
上記ゴム状弾性材が、フッ素ゴム、シリコーンゴム、フルオロシリコーンゴム、ニトリルゴムまたは水素化ニトリルゴムである請求項１または２に記載のＩＣタグ付き転がり軸受。
【請求項４】
上記穴を形成した外輪もしくは内輪または両輪の表面が、転がり軸受を被装着物に固定するための予圧付与面である請求項１〜３のいずれかに記載のＩＣタグ付き転がり軸受。
【請求項５】
上記穴が、粗面またはねじ面を有する穴である請求項１〜４のいずれかに記載のＩＣタグ付き転がり軸受。
【請求項６】
上記穴が、底部に接着剤を溜める凹部を形成した穴である請求項１〜５のいずれかに記載のＩＣタグ付き転がり軸受。
【請求項７】
上記ＩＣタグが、外側に緩衝体係止用の凹凸部を有するものである請求項１〜６のいずれかに記載のＩＣタグ付き転がり軸受。
【請求項８】
上記凹凸部が、平目ローレットまたは綾目ローレットである請求項７に記載のＩＣタグ付き転がり軸受。
【請求項９】
上記凹凸部が、１以上のフランジまたは周溝である請求項７に記載のＩＣタグ付き転がり軸受。
【請求項１０】
上記ＩＣタグが、成形されたゴム状弾性材からなる緩衝体と加硫または接着により一体化されたものである請求項１〜９のいずれかに記載のＩＣタグ付き転がり軸受。
【請求項１１】
上記ＩＣタグが、穴内に挿入されると共にゴム状弾性材を前記穴に充填することにより緩衝体を介して前記穴内に保持されている請求項１〜９のいずれかに記載のＩＣタグ付き転がり軸受。
【請求項１２】
上記ＩＣタグが、圧縮した緩衝体の反発弾性力によって穴に係合して保持されている請求項１〜１１のいずれかに記載のＩＣタグ付き転がり軸受。
【発明の詳細な説明】
【技術分野】
【０００１】
この発明は、建設機械や産業機械などに使用される転がり軸受であって、非接触通信により情報の交信が可能なＩＣタグを取り付けたＩＣタグ付き転がり軸受に関するものである。
【背景技術】
【０００２】
一般に、非接触通信によって情報の交信を可能にするＲＦＩＤ（Radio Frequency Identification）技術を用いたＩＣタグが知られている。
【０００３】
図１０に示すように非接触型のＩＣタグ８は、メモリー１３と処理回路１４によって情報の書き込みと読み取りが可能なものであり、処理回路１４に接続されるコイル状のアンテナ１２からの発信または受信される電磁波やマイクロ波により電力およびデータのリーダライタ１５などへの情報の転送が可能なものである。
【０００４】
このようなＩＣタグを転がり軸受などの機械装置または部品の表面に取り付け、部品の識別情報、製造時期、ロット番号、過去のメンテナンス情報などのように、履歴、適用、所在その他の各種情報を記憶させておき、メンテナンスなどの際に読み出し、さらに記録を更新して利用する技術が知られている。
【０００５】
転がり軸受は、外観が同じであっても素材の種類、また素材に対する熱処理条件、内部隙間の大きさ、封入グリースの種類などの仕様または製造条件の異なる場合が多いため、識別情報の利用価値は高く、特に保管時などの使用前ばかりでなく、使用中および使用後などのメンテナンスの際などにおいても現状の把握と保守管理の情報が求められている。
【０００６】
また、電磁波が転がり軸受などの金属表面に吸収されてしまうことを考慮し、電磁波やマイクロ波の干渉を避けるように金属面に穴を形成しておき、その穴にＩＣタグの本体部を嵌め入れ、先端のアンテナ部はできるだけ穴の開口部に近づけ、その上に比較的硬質の熱硬化性樹脂を保護のために被覆して封止した状態とすることが知られている（特許文献１）。
【先行技術文献】
【特許文献】
【０００７】
【特許文献１】特開２００６−５３６０３号公報（段落０００８、００３０）
【発明の概要】
【発明が解決しようとする課題】
【０００８】
しかし、上記したようにＩＣタグを装着する際、金属面に形成した穴にＩＣタグの本体を直接に嵌め入れて装着すると、金属製の穴に荷重などにより圧力や衝撃が作用し、金属に歪みが発生し、そのひずみや振動や衝撃はＩＣタグに伝わって、回路やアンテナが損壊し、誤作動の原因になるという問題点がある。
【０００９】
また、穴の開口部にＩＣタグのアンテナ部を近づけて配置し、その上から熱硬化性樹脂で封止しても、外部からの物体の侵入は阻止されているが、ＩＣタグの本体やアンテナ部に硬質の樹脂層を介して外力や振動が伝わるので、回路の断線や損傷が生じやすく、ＩＣタグに長期安定した情報発信および受信機能を確実に発揮させることはできないという問題点がある。
【００１０】
特に、転がり軸受においては、回転軸の振れ精度向上や振動や騒音の低減のために予圧をかけて転がり軸受を装着する場合があり、その場合に封止した樹脂は、加圧されて外部から振動や衝撃はＩＣタグの本体やアンテナ部により伝わりやすい状態になり、振動や衝撃などの外力によって回路やアンテナのコイルの歪みや損傷が起きやすく、電磁波やマイクロ波による送・受信機能が損なわれてしまうという問題点がある。
【００１１】
そこで、この発明の課題は、上記した問題点を解決し、転がり軸受にＩＣタグを装着する際に、ＩＣタグ本体やアンテ部が振動や外力を受け難い状態とし、特に転がり軸受に予圧をかけて装着した場合にもＩＣタグ本体やアンテナ部に歪みが発生せず、好ましくは他の転がり軸受特有の潤滑油に接する高温の環境で使用されても耐油性や耐熱性があり、長期安定した情報発信および受信機能を確実に発揮されるＩＣタグ付き転がり軸受とすることである。
【課題を解決するための手段】
【００１２】
上記の課題を解決するために、この発明においては、転がり軸受の外輪もしくは内輪または両輪に形成した穴内に、非接触交信型のＩＣタグをゴム状弾性材からなる緩衝体を介して保持してなるＩＣタグ付き転がり軸受としたのである。
【００１３】
上記したように構成されるこの発明のＩＣタグ付き転がり軸受は、ＩＣタグが、外輪や内輪の表面に形成された穴に対してゴム状弾性材からなる緩衝体を介して保持されているので、外輪や内輪の表面に外力が加わって圧力を受け、また外部から振動や衝撃を受けた場合にも、そのような外力による歪や衝撃や振動は、ゴム状弾性材からなる緩衝体に吸収される。
【００１４】
そのため、外力による歪や衝撃や振動は、ＩＣタグには直接伝わることなく減衰されて伝わるか、または伝わらないので、ＩＣタグ付き転がり軸受には長期安定した情報発信機能および受信機能が備わる。
【００１５】
また、上記穴内の開口部側に、ＩＣタグを覆うようにゴム状弾性材からなる緩衝体を設けたＩＣタグ付き転がり軸受では、穴の開口部側からの圧力、歪、振動などは、ＩＣタグを覆うゴム状弾性材からなる緩衝体で吸収される。
【００１６】
上記穴を形成した外輪もしくは内輪または両輪の表面が、転がり軸受を被装着物に固定するための予圧付与面である場合には、転がり軸受を固定するために必要な軸受押え部品などからの予圧が穴の開口部周辺から穴の壁面に伝わるが、その際、ＩＣタグが前記穴にゴム状弾性材からなる緩衝体を介して保持されていることにより、歪や振動などはゴム状弾性材からなる緩衝体で吸収される。
【００１７】
なお、この発明でいう予圧付与面は、予圧を直接受けている面およびそれと同一面を形成している周囲の面全体を言い、すなわち軸受の固定のための予圧によって歪みの起こりうる可能性のある面全体を含めて言うものである。
【００１８】
また、緩衝体を形成しているゴム状弾性材が、フッ素ゴム、シリコーンゴム、フルオロシリコーンゴム、ニトリルゴムまたは水素化ニトリルゴムであるものは、上記した作用を奏する他、耐油性および耐熱性にも優れたＩＣタグ付き転がり軸受になる。
【００１９】
また、上記穴が、粗面またはねじ面を有するものであるＩＣタグ付き転がり軸受では、前記粗面によるアンカー効果や摩擦係数の向上により、ＩＣタグの周囲の緩衝体と穴の側壁との一体性は高められ、ＩＣタグは穴から充分に抜け止めされる。
【００２０】
また、ねじ面を有する穴である場合には、ＩＣタグの穴へねじ込み固定が可能になり、穴からＩＣタグは抜け止めされると共に、取り付けが容易になり、またねじ込み量を増減することにより、ＩＣタグのアンテナ部分の金属面に対する位置（深さ）の調整ができ、ＩＣタグの感度調整も容易になる。
【００２１】
上記穴が、その底部に接着剤を溜める凹部を形成したものでは、凹部に溜めた接着剤によって、ＩＣタグは穴によって高い接着強度で固定できる。
【００２２】
上記ＩＣタグが、外側に緩衝体係止用の凹凸部を有するものでは、ＩＣタグと緩衝体との接触面積の増加および凹凸による物理的な係止作用によって、これらは一体化されてＩＣタグは穴からより確実に抜け止めされる。
【００２３】
そのような作用効果が充分に得られるように、上記係止用凹凸部が、平目ローレットまたは綾目ローレットであることが好ましく、また上記係止用凹凸部が、１以上のフランジであることが好ましく、さらにまた上記係止用凹凸部が、１以上の周溝であることが好ましい。
【００２４】
上記ＩＣタグが、外周面に接着層を有し、緩衝体を接着により装着したものであれば、接着力によってＩＣタグは穴に対して抜け止めされる。
【００２５】
また、上記ＩＣタグが、成形されたゴム状弾性材からなる緩衝体と加硫または接着により一体化されたものは、緩衝体とＩＣタグとを一体としてＩＣタグの装着やメンテナンスの作業効率が良いものになる。
【００２６】
また、ＩＣタグが、穴内に挿入されると共にゴム状弾性材を前記穴に充填することにより緩衝体を介して前記穴内に保持されているものは、ＩＣタグの形状に拠らず流動性のあるゴム状弾性材を充填するだけで緩衝体と確実に一体化できるので、様々な型式のＩＣタグを用いることができる。
【００２７】
上記ＩＣタグが、圧縮した緩衝体の反発弾性力によって穴に係合するよう装着されているものでは、緩衝体の弾性反発力が、穴と係合面に加わるので、前記した摩擦力や物理的係止作用が一層確実に発揮されて、ＩＣタグは穴から抜け止めされる。
【発明の効果】
【００２８】
この発明のＩＣタグ付き転がり軸受は、ＩＣタグが、外輪や内輪の金属面に形成した穴に対してゴム状弾性材からなる緩衝体を介して装着されているので、外輪や内輪の金属面の受ける圧力による歪や振動はゴム状弾性材からなる緩衝体に吸収され、ＩＣタグ本体やアンテナが振動や外力を受け難い利点がある。
【００２９】
また、転がり軸受に予圧をかけて被装着物に取り付ける場合、所要の予圧によってＩＣタグ本体に歪みが発生せず、長期間安定した情報発信および受信機能を確実に発揮されるＩＣタグ付き転がり軸受となる利点がある。
【００３０】
緩衝体を所定の種類のゴム状弾性材を採用することにより、潤滑油に接する環境や被加熱の環境でも耐油性および耐熱性を発揮して長期安定した情報発信および受信機能を確実に発揮されるＩＣタグ付き転がり軸受となる利点がある。
【図面の簡単な説明】
【００３１】
【図１】実施形態を示すＩＣタグ付き転がり軸受の使用状態の要部拡大断面図
【図２】第１実施形態のＩＣタグの穴への装着状態を示す要部拡大断面図
【図３】図２のIII-III線断面図
【図４】第２実施形態のＩＣタグの穴への装着状態を示す要部拡大断面図
【図５】第３実施形態のＩＣタグの穴への装着状態を示す要部拡大断面図
【図６】第４実施形態のＩＣタグの穴への装着状態を示す要部拡大断面図
【図７】第５実施形態のＩＣタグの穴への装着状態を示す要部拡大断面図
【図８】第１実施形態のＩＣタグの穴への装着方法の説明図
【図９】第１実施形態のＩＣタグの穴への他の装着方法の説明図
【図１０】穴に装着されたＩＣタグの送受信状態の説明図
【発明を実施するための形態】
【００３２】
この発明の実施形態を以下に添付図面に基づいて説明する。
図１〜３に示すように、第１実施形態は、外輪１と内輪２の間に保持器３で回転自在に保持された円錐ころ等からなる転動体４を介在させた円錐ころ軸受５を、２つ一組にして背面合わせにして配置した軸受装置でのＩＣタグ付き転がり軸受を示している。
それぞれの円錐ころ軸受５の内輪２および外輪１の外側端面の金属面には、それぞれ穴（有底穴）６、７を形成し、この穴６、７内に非接触交信型のＩＣタグ８をゴム状弾性材からなる緩衝体９を介して装着している。
【００３３】
このような転がり軸受は、少なくとも外輪１と内輪２は軸受鋼などからなる金属製のものであり、内輪２の外側端面を予圧付与面として減速機などの被装着物における軸受押え部品１０に圧接し、図中矢印方向からの予圧で内輪２を非回転状態で静止させている。また、回転するハウジング１１には外輪１の端面１ａを対向させて挟圧状態に保持し、ハウジング１１と外輪１は一体に回転させるようにしている。また、予圧の付与されていない外輪１の端面１ｂにも穴７を形成し、その内部にＩＣタグ８を上記同様に保持させている。
【００３４】
図２に示すように、転がり軸受のＩＣタグ８の穴６の開口部側は、ＩＣタグ８を覆うようにゴム状弾性材からなる緩衝体９を蓋状に設けて封止状態にしている。
【００３５】
このような緩衝体９に用いられるゴム状弾性材は、転がり軸受を潤滑油での潤滑および加熱状態で使用する場合に、例えば耐油性に優れたフッ素ゴム（ＦＫＭ）、シリコーンゴム（ＶＱＭ）、フルオロシリコーンゴム、ニトリルゴム（ＮＢＲ）または水素化ニトリルゴム（ＨＮＢＲ）などを用いることが好ましい。
【００３６】
その他に使用可能な周知のゴム状弾性材としては、周知のゴムまたは弾性樹脂のいずれであってもよく、例えばＥＶＡ樹脂（エチレン酢酸ビニル共重合体樹脂）、ブチルゴム、多硫化ゴム等を挙げることができる。さらにまた熱可塑性エラストマーを用いても良く、スチレン−ブタジエン系、ポリエステル系、ポリエチレン系、塩化ビニル系などの熱可塑性エラストマーを用いることができる。
【００３７】
このようなゴム状弾性材の好ましい弾性率は、例えば２３℃における１ＭＰa〜１０ＭＰa程度、好ましくは１ＭＰa〜５ＭＰa程度であることが、この発明における適切な緩衝性を発揮させるために充分であって好ましい。
【００３８】
非接触型のＩＣタグ８は、穴６、７の中に装着される際、コイル状のアンテナ１２（図１０参照）の部分を穴６（７）の開口部６ａ側に向け、メモリー１３と処理回路１４の部分は底面６ｂ側に近づけて配置されることが、送受信を良好に行なうために好ましい。
【００３９】
ＩＣタグ８は、その伝送方式が限定されたものではなく、例えば電磁波、マイクロ波、光など、周知の伝送方式により電力およびデータのリーダライタ１５などへの転送が可能なものを使用できる。
【００４０】
図２、３に示すように、ＩＣタグ８は、緩衝体係止用の凹凸部として平目ローレットが外周面に形成された外形状の円柱状であるものを示したが、外形状や凹凸部形状を限定するものではなく、ＩＣタグ８と緩衝体９との接触面積の増加などにより、または凹凸形状による物理的な係止作用によって緩衝体９と充分に一体化されたものであれば良い。
【００４１】
凹凸部は、上記した平目ローレットばかりでなく、綾目ローレット（図示せず）であってもよく、平目ローレットは回転方向に滑り難く、綾目ローレットは回転方向と軸方向の両方に対して滑り難くなる。
【００４２】
また、図４に示す第２実施形態のように、凹凸部が、ＩＣタグ８の要所に形成されたフランジ１６であってもよく、また図５に示す第３実施形態のように周溝１７であってもよく、いずれも上記同様にＩＣタグ８が緩衝体９と充分に一体化されて、穴６から確実に抜け止めされる。
【００４３】
前記したフランジ１６や周溝１７は、図示したようにＩＣタグ８の一端や中ほどに形成されたものだけではなく、ＩＣタグ８の軸方向に間隔を空けて複数形成したものであってもよく、それらの場合には抜け止め機能をより高めることができる。
【００４４】
図６に示す第４実施形態のように、穴６が、その底部に接着剤を溜める凹部１８を形成したものとしてもよく、凹部に溜めた接着剤１９によって、ＩＣタグ８は穴６に対してより高い接着強度で固定できる。
【００４５】
図示した凹部１８は、円錐状（すり鉢型）のものを示しているが、その形状および大きさは、ＩＣタグ８の端面より小さな面積で開口する周知の凹型形状であれば特に限定されるものではない。
【００４６】
また、穴６は、その形状を特に限定されるものではなく、ＩＣタグを装入可能な大きさを有し、特に全長を収めて、開口部側にＩＣタグを覆う緩衝体９を緩衝に充分な所要厚みの層状に設ける所要深さに形成されることが好ましい。前記層状の緩衝体９の所要の厚みとしては、１〜３ｍｍ程度を例示することができる。
【００４７】
例えば図７に示す第５実施形態のように、穴２０が、周壁にねじ面２０ａを形成したものであってもよい。穴２０の周壁にねじ面２０ａを形成したＩＣタグ付き転がり軸受では、ＩＣタグ８を緩衝体９と一体にねじ込み固定して取り付けが容易であり、またねじ込み量の増減によるＩＣタグ８の感度調整も容易である。
【００４８】
図８、９に示すように、例えば第１実施形態のＩＣタグ８を、緩衝体９を介して穴６へ装着する方法としては、以下の方法を例示できる。
すなわち、図８に示すように、ＩＣタグ８を穴６の底面６ｂのほぼ中央に挿入し、穴壁との隙間およびＩＣタグ８を覆うように流動性のあるゴム状弾性材を充填する。そして、加熱等により加硫（架橋）を進めることにより硬化させ、いわゆる複合成形をすることにより緩衝体９とＩＣタグ８を一体化させ、穴６に対しても固定させる。
【００４９】
図示したＩＣタグ８は、外側に平目ローレットを形成したものを示したが、前記した種々の凹凸形状や接着性や係合力の向上のための粗面化やねじ面を必要に応じて採用することができる。なお、粗面化処理は、アンカー効果が発揮されるように、成形面の粗さの調整やそのような面の加圧成形、ショットブラスト、エッチングなどの周知な粗面化処理によって行なうことができる。
【００５０】
また、図９に示すように、ＩＣタグ８は、予め成形されたゴム状弾性材からなる緩衝体９とを接着により一体化しておき、これを穴６に挿入して抜け止めされるように接着などにより固定してもよい。接着は、加硫による接着、接着剤の塗布による接着のいずれであってもよい。
【００５１】
ＩＣタグ付の緩衝体９を穴６から抜け止めする手法としては、圧縮した緩衝体９の反発弾性力によって穴６に係合するよう装着してもよい。
【００５２】
なお、緩衝体９の反発弾性力によって穴６に係合する場合には、緩衝体９を予め穴６の径よりも所定率だけ大径になる所定寸法に成形したものを採用することが、安定した品質のＩＣタグ付き転がり軸受であるために好ましい。
【００５３】
このように構成されたＩＣタグ付き転がり軸受は、メンテナンスを行なうときなどに転がり軸受を被装着物から完全に取り外す必要はなく、少なくとも予圧付与のために転がり軸受を押圧している軸受押え部品１０が電磁波等を吸収または反射する素材で形成されている金属製である場合には、そのような部品を取り除くなどにより、緩衝体の上からＩＣタグに記憶されている情報をリーダライタなどで読み取り、さらに必要に応じて情報を書き換えすれば、現状の把握と保守管理に役立てることができる。
【００５４】
このようなＩＣタグ付き転がり軸受は、外輪１や内輪２が予圧付与面などであって表面に外力が加えられても、また振動や衝撃を受けた場合にも、そのような外力による歪や衝撃や振動は、ゴム状弾性材からなる緩衝体９に吸収される。
【００５５】
その際、外力による歪や衝撃や振動は、ＩＣタグ８には直接伝わることなく減衰されて伝わるか、または伝わらないので、ＩＣタグ付き転がり軸受には長期安定した情報発信機能および受信機能が備わったものになる。
【符号の説明】
【００５６】
１  外輪
１ａ  端面
２  内輪
３  保持器
４  転動体
５  円錐ころ軸受
６、７、２０  穴
６ａ  開口部
６ｂ  底面
８  ＩＣタグ
９  緩衝体
１０  軸受押え部品
１１  ハウジング
１２  アンテナ
１３  メモリー
１４  処理回路
１５  リーダライタ
１６  フランジ
１７  周溝
１８  凹部
１９  接着剤
【図１】
2012197855.tif 000003
【図２】
2012197855.tif 000004
【図３】
2012197855.tif 000005
【図４】
2012197855.tif 000006
【図５】
2012197855.tif 000007
【図６】
2012197855.tif 000008
【図７】
2012197855.tif 000009
【図８】
2012197855.tif 000010
【図９】
2012197855.tif 000011
【図１０】
2012197855.tif 000012